(57)【要約】【課題】レンズカバーの開閉動作に連動するスイッチなどの別部品を用いずに、使用しないときに電源のオン状態を確認できる。【解決手段】画像をスクリーン上に投影する投影レンズ部２の前面をレンズカバー６で開閉可能に塞ぐ投影装置において、レンズカバー６にリング形状で半透明の光透過部１０を設けた。従って、投影レンズ部２が画像をスクリーン上に投影する電源オン状態のときに、レンズカバー６で投影レンズ部２の前面を塞いでも、レンズカバー６の光透過部１０を投影光が透過してスクリーン上にリング形状で投影されるので、この投影光によって使用しないときに電源のオン状態を確認することができる。このため、先行文献のようにレンズカバー６の開閉動作に連動するスイッチなどの別部品が不要となり、部品点数の増加を防ぎ、装置全体の構造およびその電子回路の簡素化をも図ることができる。【選択図】        図１
2004354791.tif 000002
【特許請求の範囲】
【請求項１】
装置本体と、この装置本体の内部に設けられて画像をスクリーン上に投影する投影レンズ部と、この投影レンズ部の前面を開閉可能に塞ぐレンズカバーとを備えた投影装置において、
前記レンズカバーの少なくとも一部に光透過部を設けたことを特徴とする投影装置。
【請求項２】
前記光透過部は半透明に形成されていることを特徴とする請求項１に記載の投影装置。
【請求項３】
前記光透過部はリング形状に形成されていることを特徴とする請求項１または２に記載の投影装置。
【請求項４】
前記光透過部は、その一部が前記レンズカバーの周囲へ延長されて形成されていることを特徴とする請求項１〜３のいずれかに記載の投影装置。
【請求項５】
前記レンズカバーは前記装置本体にヒンジ部によって回動可能に取り付けられていることを特徴とする請求項１〜４のいずれかに記載の投影装置。
【発明の詳細な説明】
【０００１】
【発明の属する技術分野】
この発明は、画像をスクリーン上に投影する投影装置に関する。
【０００２】
【従来の技術】
従来、被写体を撮影するカメラなどの撮影装置においては、装置本体に設けられた撮影レンズを保護するために、撮影レンズの前面を開閉自在に塞ぐレンズカバーをヒンジ部によって装置本体に回動可能に設け、携帯するときにヒンジ部を中心にレンズカバーを回動させて撮影レンズの前面を塞ぎ、使用するときにヒンジ部を中心にレンズカバーを回動させて撮影レンズの前面を開くようにしたものがある（例えば、特許文献１参照。）。
【０００３】
【特許文献１】
特開平５−７５９０７号公報
【０００４】
【発明が解決しようとする課題】
しかしながら、この特許文献１の撮影装置では、電源をオンした状態で誤ってレンズカバーを閉じてしまうと、電源がオン状態であるか否かを確認することができないという問題があるばかりか、この状態で撮影装置を携帯すると、操作スイッチを誤操作する恐れがあるという問題もある。
【０００５】
なお、このような問題を防ぐために、特許文献１の撮影装置では、レンズカバーの開閉動作に連動してオン−オフするスイッチを装置本体に設け、このスイッチによってレンズカバーを閉じたときに電源をオフ状態にすることにより、携帯時における操作スイッチの誤操作を防いでいるが、このような構造では、レンズカバーの開閉動作に連動するスイッチを装置本体に設ける必要であるため、その分、部品点数が増加するばかりか、装置構造や電子回路が複雑になるという問題が生じる。
【０００６】
この発明の課題は、レンズカバーの開閉動作に連動するスイッチなどの別部品を用いずに、使用しないときにレンズカバーで投影レンズ部の前面を塞いでも、電源のオン状態を確認できるようにすることである。
【０００７】
【課題を解決するための手段】
請求項１に記載の発明は、装置本体と、この装置本体の内部に設けられて画像をスクリーン上に投影する投影レンズ部と、この投影レンズ部の前面を開閉可能に塞ぐレンズカバーとを備えた投影装置において、前記レンズカバーの少なくとも一部に光透過部を設けたことを特徴とする投影装置である。
この発明によれば、投影レンズ部が画像をスクリーン上に投影する電源オン状態のときに、レンズカバーで投影レンズ部の前面を塞いでも、レンズカバーの一部に設けられた光透過部から投影光が漏れてスクリーン上に投影されるので、この漏れ光によって使用しないときに、電源のオン状態を確認することができる。このため、先行文献のようなレンズカバーの開閉動作に連動するスイッチなどの別部品を用いる必要がないので、部品点数の増加を防ぎ、装置全体の構造およびその電子回路の簡素化を図ることができる。
【０００８】
請求項２に記載の発明は、前記光透過部が半透明に形成されていることを特徴とする請求項１に記載の投影装置である。
この発明によれば、請求項１に記載の発明と同様、電源がオン状態のときにレンズカバーで投影レンズ部の前面を塞いでも、レンズカバーの光透過部が半透明に形成されていることにより、この半透明の光透過部から投影光が透過してスクリーン上に投影されるので、この投影光によって電源のオン状態を確認することができる。この場合、光透過部が着色された半透明に形成されていれば、この半透明の光透過部を透過した投影光が着色されるので、この着色光によって電源のオン状態を確認することができ、これにより電源のオン状態の視認性を向上させることができる。
【０００９】
請求項３に記載の発明は、前記光透過部がリング形状に形成されていることを特徴とする請求項１または２に記載の投影装置である。
この発明によれば、請求項１に記載の発明と同様、電源オン状態のときにレンズカバーで投影レンズ部の前面を塞いでも、レンズカバーの光透過部がリング形状に形成されていることにより、この光透過部を透過した光がスクリーン上にリング形状で投影されるので、このリング形状の投影光によって電源のオン状態を確認することができ、これによっても電源のオン状態の視認性を向上させることができる。
【００１０】
請求項４に記載の発明は、前記光透過部が、その一部を前記レンズカバーの周囲へ延長して形成されていることを特徴とする請求項１〜３のいずれかに記載の投影装置である。
この発明によれば、請求項１に記載の発明と同様、電源オン状態のときにレンズカバーで投影レンズ部の前面を塞いでも、レンズカバーの周囲へ延長された光透過部の一部からも投影光が漏れるので、必ずしも投影レンズ部の正面から見なくても、レンズカバーの周囲に延長された光透過部の一部からの漏れ光によっても電源のオン状態を確認することができ、これにより電源のオン状態の視認範囲を広げることができる。
【００１１】
請求項５に記載の発明は、前記レンズカバーが前記装置本体にヒンジ部によって回動可能に取り付けられていることを特徴とする請求項１〜４のいずれかに記載の投影装置である。
この発明によれば、請求項１〜３に記載の発明と同様の作用効果があるほか、特にレンズカバーがヒンジ部によって装置本体に回動可能に取り付けられているので、ヒンジ部を中心にレンズカバーを回動させることにより、投影レンズ部の前面を開閉することができると共に、レンズカバーの紛失をも防ぐことができ、これにより使い勝手の良いものを得ることができる。
【００１２】
【発明の実施の形態】
以下、図１〜図４を参照して、この発明の投影装置の一実施形態について説明する。
図１はこの発明の投影装置の外観斜視図、図２は図１の投影装置の前面部を示した斜視図、図３は図２の投影装置の前面部を裏面側から見た斜視図、図４は図２の要部を分解した斜視図である。
この投影装置は、平板状の箱形に形成された装置本体１を備えている。この装置本体１の内部における右側には、投影レンズ部２が設けられている。この投影レンズ部２は、画像を装置本体１の前方に配置されたスクリーン（図示せず）上に投影するように構成されている。
【００１３】
この場合、投影レンズ部２の前端部は、図１に示すように、装置本体１の前面部３に設けられたレンズ用開口部３ａから前方に向けて露出しており、この投影レンズ部２の前側後部における外周部には、スクリーン上に投影される画像の焦点を調節するための焦点調節ダイヤル４が設けられている。この焦点調節ダイヤル４は、図１に示すように、装置本体１の右側面に設けられたダイヤル用開口部５に一部が対応して配置され、このダイヤル用開口部５内に位置する一部を回転操作することにより、スクリーン上に投影される画像の焦点を調節するように構成されている。
【００１４】
また、この装置本体１の前面には、図１〜図４に示すように、投影レンズ部２の前面を開閉可能に塞ぐレンズカバー６がヒンジ部７によって回動可能に取り付けられている。すなわち、このレンズカバー６は、図４に示すように、円形孔９を有するカバー本体部８と、このカバー本体部８の円形孔９内に設けられるリング形状の光透過部１０と、この光透過部１０内に取り付けられる装飾板１１とを備え、カバー本体部８がヒンジ部７によって装置本体１の前面下部に回動可能に取り付けられ、これにより投影レンズ部２の前面を開閉可能に塞ぐように構成されている。
【００１５】
この場合、カバー本体部８は、光を透過しない遮光性を有する合成樹脂によって形成されており、その形状は、長方形の一端部を半円弧状に形成した形状で、装置本体１の前面部３に設けられたレンズ用開口部３ａを塞ぐ大きさに形成されている。すなわち、このカバー本体部８は、その半円弧状の一端部がレンズ用開口部３ａの上部側に位置し、矩形状の他端部がレンズ用開口部３ａの下側に位置し、この状態で装置本体１の下部にヒンジ部７によって取り付けられている。また、このカバー本体部８の円形孔９は、カバー本体部８の中央部に投影レンズ部２の前端面に対応して設けられている。
【００１６】
光透過部１０は、半透明の合成樹脂によってリング形状に形成され、カバー本体部８の円形孔９内に配置され、投影レンズ部２からの投影光を透過してスクリーン上にリング形状で投影するように構成されている。この場合、光透過部１０は、赤、青、緑などの所定の色で着色され、投影レンズ部２からの投影光が透過するときに、その投影光を所定の色に着色するように構成されていることが望ましい。また、この光透過部１０は、必ずしも投影光がスクリーン上に投影されなくても良く、要は投影光の一部が透過して出射されていることが確認できる程度の透過性を有する構造のものでも良い。
【００１７】
また、この光透過部１０は、図２に示すように、レンズ用開口部３ａの上部側に対応するカバー本体部８の周囲、つまりカバー本体部８の半円弧状の一端部に一部１０ｂが延長されて形成され、この延長された一部１０ｂによって投影レンズ部２の正面以外に装置本体１の上面側にも投影光が漏れるように構成されている。さらに、この光透過部１０は、その外周部に位置決め凸部１０ａが設けられ、この位置決め凸部１０ａがカバー本体部８の円形孔９の内周面に設けられた位置決め凹部８ａに係合することにより、カバー本体部８に対して位置決めされた状態で、カバー本体部８の円形孔９内に嵌合するように構成されている。さらに、この光透過部１０は、その外周部がカバー本体部８に設けられた押え片８ｂによって押えられることにより、カバー本体部８の円形孔９内に固定されている。
【００１８】
装飾板１１は、図４に示すように、光を透過しない遮光性を有する合成樹脂によって円板状に形成され、光透過部１０内に配置された状態で透明な粘着テープ１２によって光透過部１０に取り付けられている。この場合、装飾板１１は、カバー本体部８と同じ合成樹脂で形成されていると共に、カバー本体部８と同じ色で形成されていることが望ましく、またこの装飾板１１の前面には、マークや記号、図形、あるいは模様などの装飾が施されていることが望ましい。なお、この装飾板１１の後面には、カバー本体８および光透過部１０に対する装飾板１１の位置合わせするための合わせマーク１３ａが設けられている。
【００１９】
ヒンジ部７は、図３および図４に示すように、カバー本体部８の裏面における下部両側に設けられた取付筒部１４と、装置本体１の前面部３における裏面の下部両側に取り付けられる取付部材１５と、カバー本体部８の取付筒部１４内に挿入されて装置本体１の取付部材１５に連結されるチルト機構部１６とを備えている。この場合、カバー本体部８の取付筒部１４は、外形が円形の筒状に形成され、その内部に四角棒状の挿入穴１７が形成され、この挿入穴１７にチルト機構部１６が挿入されるように構成されている。また、装置本体１の取付部材１５は、装置本体１に取り付けられる取付部１８と、この取付部１８の下端部に形成された連結部１９とからなり、取付部１８に設けられた位置決め孔１８ａによって装置本体１に位置決めされた状態で、取付部１８に設けられたビス孔１８ｂに挿入するビス２０によって装置本体１に取り付けられるように構成されている。
【００２０】
チルト機構部１６は、外形が四角棒状に形成された本体部２１と、この本体部２１内に回転可能に設けられた軸部２２とを備え、本体部２１が取付筒部１４内に挿入され、この本体部２１から突出した軸部２２の一端部が取付部材１５の連結部１９に設けられた角孔１９ａに挿入され、この状態で軸部２２が本体部２１に対し回転することにより、この軸部２２を中心にレンズカバー６が装置本体１に対し回動するように構成されている。この場合、チルト機構部１６は、スプリング（図示せず）によって軸部２２に所定の負荷が付与され、これによりレンズカバー６を装置本体１に対し任意の角度に保持すると共に、所定以上の負荷が加わると、軸部２２の一端部が連結部１９の角孔１９ａから離脱するように構成されている。
【００２１】
なお、この装置本体１の前面左側には、リモートコントローラ用の受光部２３が設けられており、装置本体１の上面中央部には、電源スイッチやズームスイッチなどの操作スイッチ２４が設けられており、装置本体１の上面右側には、各種のスイッチを保護するためのスイッチ蓋２５が開閉可能に設けられている。また、この装置本体１の右側面には、装置本体１内の熱を放出するための放熱孔部２６が設けられており、さらにこの装置本体１の背面には、外部機器（図示せず）と電気的に接続するための接続ケーブル２７が接続されている。
【００２２】
このような投影装置を使用する場合には、図１に示すように、装置本体１の前面部３に取り付けられたレンズカバー６をそのヒンジ部７を中心に回動させて開き、この状態で装置本体１の上面に設けられた操作スイッチ２４の電源スイッチをオンさせた上、投影レンズ部２の焦点調節ダイヤル４を操作してスクリーン上に投影される画像の焦点を調節する。これにより、投影レンズ部２によって画像をスクリーン上に鮮明に投影することができ、この投影された画像を良好に鑑賞することができる。また、この投影装置を使用しない場合には、操作スイッチ２４の電源スイッチをオフにすると共に、ヒンジ部７を中心にレンズカバー６を回動させて閉じると、投影レンズ部２の前面がレンズカバー６で塞がれるので、投影レンズ部２を良好に保護することができる。
【００２３】
ところで、この投影装置では、操作スイッチ２４の電源スイッチをオン状態にしたままで、レンズカバー６を閉じると、レンズカバー６に設けられた光透過部１０から投影光が漏れてスクリーン上に投影されるので、この漏れ光によって使用しないときに電源のオン状態を確認することができる。この場合、レンズカバー６の光透過部１０が半透明に形成されているので、この半透明の光透過部１０から投影光を確実に透過させることができ、これにより電源のオン状態を確実に視認することができる。
【００２４】
特に、このときには、半透明の光透過部１０が赤、青、緑などの所定の色で着色されていることにより、この半透明の光透過部１０を透過した投影光が所定の色に着色されるので、この着色光によって電源のオン状態を確認することができ、これにより電源のオン状態の視認性を向上させることができる。また、この光透過部１０はリング形状に形成されていることにより、この光透過部１０を透過した投影光がスクリーン上にリング形状で投影されるので、このリング形状の投影光によっても電源のオン状態を確認することができ、これによっても電源のオン状態の視認性を向上させることができる。
【００２５】
さらに、この光透過部１０はその一部１０ｂがレンズ用開口部３ａの上部側に対応するカバー本体部８の周囲、つまりカバー本体部８の半円弧状の一端部に一部１０ｂが延長されて形成されているので、必ずしも投影レンズ部２の正面から見なくても、レンズカバー６の周囲に延長された光透過部１０の一部１０ｂからの漏れ光によっても電源のオン状態を確認することができ、これにより電源のオン状態の視認範囲を広げることができ、これによっても電源のオン状態の視認性を向上させることができる。
【００２６】
このように、この投影装置によれば、電源をオンさせた状態でレンズカバー６を閉じてしまっても、電源のオン状態を確認することができるので、先行文献のように電源のオン状態でレンズカバーを閉じてしまう誤操作を防ぐために、レンズカバーの開閉動作に連動するスイッチなどの別部品を設ける必要がないので、部品点数の増加を防ぎ、装置全体の構造および電子回路の簡素化を図ることができる。また、このレンズカバー６は、リング形状の光透過部１０内に装飾板１１を配置すると共に、この装飾板１１をカバー本体部８と同じ材料で且つ同じ色で形成しているほか、特に装飾板１１の前面に、マークや記号、図形、あるいは模様などの装飾を施すことにより、装飾性に優れ、デザイン的にも好ましいものを得ることができる。
【００２７】
また、この投影装置では、レンズカバー６が装置本体１にヒンジ部７によって回動可能に取り付けられているので、ヒンジ部７を中心にレンズカバー６を回動させることにより、投影レンズ部２の前面を開閉することができると共に、レンズカバー６の紛失をも防ぐことができ、これにより使い勝手の良いものを得ることができる。この場合、ヒンジ部７は、チルト機構部１６によってレンズカバー６を装置本体１に対し任意の角度に保持できるので、レンズカバー６の開閉操作性が良いばかりか、所定以上の大きな負荷が加わると、チルト機構部１６の軸部２２の一端部が取付部材１５から離脱するので、レンズカバー６の破損を防ぐことができ、これによっても使い勝手の良いものを得ることができる。
【００２８】
なお、上記実施形態では、レンズカバー６の光透過部１０が半透明に形成されている場合について述べたが、必ずしも半透明である必要はなく、透明な合成樹脂で形成しても良く、また曇りガラスように形成しても良く、要は光が透過するように構成されていれば良い。また、光透過部１０は必ずしもリング形状に形成されている必要はなく、図形や記号、あるいはマークなどの形状に形成しても良く、あるいは孔状の光透過部分を複数設けた構造でも良い。
【００２９】
さらに、上記実施形態では、レンズカバー６のカバー本体部８にリング形状の光透過部１０を設け、この光透過部１０内に装飾板１１を設けた構造になっているが、これに限らず、２色成形あるいは多色成形によってカバー本体部８にリング形状の光透過部１０および装飾板１１を一体に成形しても良い。また、リング形状の部分を遮光性の合成樹脂で形成し、これ以外の部分を透明または半透明の合成樹脂で一体に形成した構造でも良く、要はレンズカバー６の一部に投影レンズ部２からの光を透過する光透過部を設けた構造であれば、光透過部をどのような形状に形成しても良い。
【００３０】
【発明の効果】
以上説明したように、この発明によれば、画像をスクリーン上に投影する投影レンズ部の前面をレンズカバーで開閉可能に塞ぐ投影装置において、レンズカバーの少なくとも一部に光透過部を設けたことにより、投影レンズ部が画像をスクリーン上に投影する電源オン状態のときに、レンズカバーで投影レンズ部の前面を塞いでも、レンズカバーの一部に設けられた光透過部から投影光が漏れてスクリーン上に投影されるので、この漏れ光によって使用しないときに、電源のオン状態を確認することができる。このため、先行文献のようなレンズカバーの開閉動作に連動するスイッチなどの別部品を用いる必要がないので、部品点数の増加を防ぎ、装置全体の構造およびその電子回路の簡素化を図ることができる。
【００３１】
この場合、光透過部が半透明に形成されていることにより、電源がオン状態のときにレンズカバーで投影レンズ部の前面を塞いでも、レンズカバーに形成された半透明の光透過部から投影光が透過してスクリーン上に投影されるので、この投影光によって電源のオン状態を確認することができる。この場合、光透過部が着色された半透明に形成されていれば、この半透明の光透過部を透過した投影光が着色されるので、この着色光によって電源のオン状態を確認することができ、これにより電源のオン状態の視認性を向上させることができる。
【００３２】
また、光透過部がリング形状に形成されていることにより、電源オン状態のときにレンズカバーで投影レンズ部の前面をて塞いでも、レンズカバーの光透過部を透過した光がスクリーン上にリング形状で投影されるので、このリング形状の投影光によって電源のオン状態を確認することができ、これによっても電源のオン状態の視認性を向上させることができる。
【００３３】
また、光透過部がその一部をレンズカバーの周囲へ延長して形成されていることにより、電源オン状態のときにレンズカバーで投影レンズ部の前面を塞いでも、レンズカバーの周囲へ延長された光透過部の一部からも投影光が漏れるので、必ずしも投影レンズ部の正面から見なくても、レンズカバーの周囲に延長された光透過部の一部からの漏れ光によっても電源のオン状態を確認することができ、これにより電源のオン状態の視認範囲を広げることができる。
【００３４】
さらに、レンズカバーが装置本体にヒンジ部によって回動可能に取り付けられていることにより、ヒンジ部を中心にレンズカバーを回動させて投影レンズ部の前面を開閉することができるので、レンズカバーの開閉操作性が良いばかりか、レンズカバーの紛失をも防ぐことができ、これにより使い勝手の良いものを得ることができる。
【図面の簡単な説明】
【図１】この発明の投影装置の一実施形態を示した外観斜視図。
【図２】図１の装置本体の前面部を示した斜視図。
【図３】図２の装置本体の前面部を裏面側から見た斜視図。
【図４】図２においてレンズカバーを分解した斜視図。
【符号の説明】
１  装置本体
２  投影レンズ部
６  レンズカバー
７  ヒンジ部
８  カバー本体部
１０  光透過部
１０ｂ  光透過部の一部
１１  装飾板
【図１】
2004354791.tif 000003
【図２】
2004354791.tif 000004
【図３】
2004354791.tif 000005
【図４】
2004354791.tif 000006